(57)【特許請求の範囲】
【請求項１】
保温性を有する素材で形成された保温部と、前記保温部よりも低い保温性を有する素材で形成された本体部とを備える股付き衣類であって、
前記保温部は、着用者の鼠径靭帯、縫工筋および長内転筋に囲まれた部位を覆う位置に形成されていることを特徴とする股付き衣類。
【請求項２】
保温性を有する素材で形成された保温部と、前記保温部よりも低い保温性を有する素材で形成された本体部とを備える股付き衣類であって、
前記保温部は、着用者の鼠径靭帯、縫工筋、および、大腿部の付け根部から大腿部の周方向に沿って延びる一辺に囲まれた部位を覆う位置に形成されていることを特徴とする股付き衣類。
【請求項３】
保温性を有する素材で形成された保温部と、前記保温部よりも低い保温性を有する素材で形成された本体部とを備える股付き衣類であって、
前記保温部は、着用者の鼠径靭帯、縫工筋、大腿部の付け根部から膝関節部までの間の位置において大腿部の周方向に沿って延びる一辺、および、大腿部の付け根部から大腿部の長さ方向に延びる一辺に囲まれた部位を覆う位置に形成されていることを特徴とする股付き衣類。
【請求項４】
保温性を有する素材で形成された保温部と、前記保温部よりも低い保温性を有する素材で形成された本体部とを備える股付き衣類であって、
前記保温部は、着用者の鼠径靭帯、縫工筋および長内転筋に囲まれた部位の少なくとも一部を覆う位置に形成されており、着用時において着用者の鼠径溝に沿って延びるラインおよび着用者の縫工筋に沿って延びるラインによって前記本体部と画されていることを特徴とする股付き衣類。
【請求項５】
前記保温部は、保温性を有する布材を前記本体部と縫合させることにより構成されることを特徴とする請求項１〜４のいずれか一項に記載の股付き衣類。
【請求項６】
就寝時に着用される睡眠用である請求項１〜５のいずれか一項に記載の股付き衣類。
【発明の詳細な説明】
【技術分野】
【０００１】
本発明は、股付き衣類に関し、より詳しくは、着用者の大腿部の特定箇所のみを局所的に保温できる股付き衣類に関する。
【背景技術】
【０００２】
冬の寒い時期など、足先が暖まらないと寝床に入ってからなかなか寝付くことができず、就寝時に靴下や保温衣類を着用したり、就寝前にお風呂で体を温めたりする人がいる。
【０００３】
寒さ対策のための保温衣類としては、以下の特許文献１〜３に記載されているようなものがある。特に特許文献１に記載の保温衣類は、放熱効率が高い大腿部の前面部または大腿部の全周を保温して、加齢にともない低下する人体の体温調整反応を補い、体温の低下を防止しようとするものである。
【特許文献１】特開平１０−１６８６０４号公報
【特許文献２】実公平４−９号広報
【特許文献３】実開平７−４０７０６号公報
【発明の開示】
【発明が解決しようとする課題】
【０００４】
ところで、本発明者らの調査によると、就寝時に足先などの末梢の血管が拡張している状態、すなわち足先が暖まっている状態であるとスムーズに寝付くことができ、睡眠時においては、体幹の温度が低い状態に保たれていると睡眠が深くなることが分かった。
【０００５】
本発明者らは、この調査結果から、就寝時に靴下や上述のような保温衣類を着用していると、これらの保温効果によって人間の生理反応である体温調節反応が妨げられ、深い睡眠が得られる温度よりも体幹の温度が高くなるため睡眠が浅くなるとの知見を得た。
【０００６】
これは従来の保温衣料においては、一般に、大腿部など筋肉量が多く、発熱効率が高い部位を保温することによって体温が低下することを防止するものであり、人体からの放熱が抑制されるためと考えられる。
【０００７】
一方、就寝前にお風呂に入って体を温めた場合は、足先などの末梢の血管が拡張した状態となるのでスムーズに寝付くことができるが、就寝後、入浴により温まった効果が薄れるにつれ、足先などが冷えてきて目が覚めてしまったりして、十分にぐっすりと眠ることができなかった。
【０００８】
そこで、本発明は、足先を暖かい状態に保つことができ、その一方で体幹に対する保温効果が過度になることを十分に防止できる股付き衣類を提供することを目的とする。
【課題を解決するための手段】
【０００９】
本発明は、保温性を有する素材で形成された保温部と、この保温部よりも低い保温性を有する素材で形成された本体部とを備える股付き衣類であって、保温部は、着用者の鼠径靭帯、縫工筋および長内転筋に囲まれた部位を覆う位置に形成されていることを特徴とする。
【００１０】
本発明者らは、スカルパ三角と呼ばれる鼠径靭帯、長内転筋および縫工筋に囲まれた部位（以下、「スカルパ三角」という）を局所的に保温することによって、着用者の足先を暖かい状態に維持できることを見出した。
【００１１】
本発明の股付き衣類によれば、着用者のスカルパ三角を局所的に保温することができるため、足先を暖かい状態に保つことができ、その一方で体幹に対する保温効果が過度になることを十分に防止できる。
【００１２】
図１にスカルパ三角の位置を示す。図１は人体下肢部を前側から見たときの筋肉および骨格を表した正面図である。図１に示すように鼠径靭帯１０１、長内転筋１０２および縫工筋１０３に囲まれた部位がスカルパ三角１００である。なお、鼠径靭帯１０１は、外腹斜筋の腱膜の下縁であり、上前腸骨棘１１１を起点とし、恥骨結合１１２に至る。
【００１３】
スカルパ三角は大腿部の上部に位置する部位であり、スカルパ三角の近傍である大腿部の上方内側部の皮膚表面近くには大腿動脈および大腿静脈が流れている。この大腿動脈および大腿静脈は、覆われている脂肪や筋肉が少ないため、スカルパ三角を保温しない状態では、ここを通過する血液から熱が逃げ、足先が冷えてしまう。
【００１４】
本発明の股付き衣類によれば、スカルパ三角を局所的に保温し、この部位に位置する大腿動脈および大腿静脈を流れる血液からの放熱を抑制できるので、足先を暖かい状態に維持できる。また、保温する部位が局所的であるため、他の部位から体幹の余剰な熱を放熱することができ、体幹に対する保温効果が過度になることを防止できる。これにより、人体の体温調節反応が妨げられることが十分に防止され、深い睡眠が得られる適温に体幹の温度が自然に調節される。なお、「体幹」とは、人体における四肢（上肢および下肢）を除く部位をいう。
【００１５】
また、本発明の股付き衣類は、以下の態様とすることができる。すなわち、本発明の股付き衣類は、保温性を有する素材で形成された保温部と、保温部よりも低い保温性を有する素材で形成された本体部とを備える股付き衣類であって、保温部は、着用者の鼠径靭帯、縫工筋、および、大腿部の付け根部から大腿部の周方向に沿って延びる一辺に囲まれた部位を覆う位置に形成されていることを特徴とする。また、保温性を有する素材で形成された保温部と、保温部よりも低い保温性を有する素材で形成された本体部とを備える股付き衣類であって、保温部は、着用者の鼠径靭帯、縫工筋、大腿部の付け根部から膝関節部までの間の位置において大腿部の周方向に沿って延びる一辺、および、大腿部の付け根部から大腿部の長さ方向に延びる一辺に囲まれた部位を覆う位置に形成されてもよい。
【００１６】
また、本発明の股付き衣類は、以下の態様とすることができる。すなわち、本発明の股付き衣類は、保温性を有する素材で形成された保温部と、保温部よりも低い保温性を有する素材で形成された本体部とを備える股付き衣類であって、保温部は、着用者の鼠径靭帯、縫工筋および長内転筋に囲まれた部位の少なくとも一部を覆う位置に形成されており、着用時において着用者の鼠径溝に沿って延びるラインおよび着用者の縫工筋に沿って延びるラインによって本体部と画されていることを特徴とする。
【００１７】
本発明において、保温部は、保温性を有する布材を本体部と縫合させることにより構成されることが好ましい。保温部が本体部に固定されていると着用時に保温部の位置のずれが防止され、安定的にスカルパ三角を保温できる。また、この固定が縫合によるものであると、保温部を本体部に重ねて縫い合わせたり、接着したりした場合と比較し、全体を薄手に仕上げることができ、着用時のごわつき感を防止できる。
【発明の効果】
【００１８】
本発明によれば、足先を暖かい状態に保つことができ、その一方で体幹に対する保温効果が過度になることを十分に防止できる股付き衣類が提供できる。
【発明を実施するための最良の形態】
【００１９】
本発明にかかる股付き衣類の詳細な構成や機能をショートタイプの睡眠用ボトムの実施形態により説明する。なお、図面の説明において、同一要素には同一符号を付し、重複説明は省略する。
【００２０】
本実施形態にかかる睡眠用ボトムの狙いとコンセプトは、以下の通りである。例えば、冬の時期など温度が低い部屋で就寝しようとする場合には、足先が冷えてしまい寝付きが悪くなる。これに対し、靴下や保温衣類等を着用して就寝した場合は、睡眠時に体内の余剰の熱が放出されないため、体幹が過度に暖かく感じられ、ぐっすり眠れなくなる傾向となる。このような、「寝付きの悪さ」や「ぐっすり眠れないこと」を防止し、スムーズに寝付きたい、しかもぐっすりと眠りたい、という着用者のニーズを満足させることが本実施形態の「狙い」とするところである。そして、コンセプトは、着用者のスカルパ三角を局所的に保温することで足先を暖かい状態に維持し、しかも保温を局所的にすることで体幹の余剰の熱を効果的に放出し、体幹の温度を睡眠に適した温度に保つこと、である。
【００２１】
図２を参照しながら、本実施形態に係るショートタイプの女性用の睡眠用ボトムの構成と機能を詳細に説明する。図２の（ａ）は、睡眠用ボトムを前面から見た図であり、（ｂ）は、睡眠用ボトムを背面から見た図である。
【００２２】
図２に示された睡眠用ボトム１０は、着用者の人体（ボトム部）にフィットするものであって、睡眠用ボトム１０を主として構成する本体布材（本体部）１と、左右それぞれ一つづつ設けられた保温布材（保温部）２とを備える。図２に示すように睡眠用ボトム１０はショートタイプであるため、着用時に睡眠用ボトム１０によって覆われる部分は、中腹部、下腹部、臀部および大腿部上部である。なお、睡眠用ボトム１０の裾は、着用者の大腿部の付根部１０５から大腿部の周方向に沿って形成されている。
【００２３】
保温布材２は、本体布材１よりも高い保温性を有する布材からなり、着用者のスカルパ三角の上部を覆う位置に形成されている。具体的には、保温布材２は睡眠用ボトム１０に対して以下の箇所に形成されている。すなわち、着用時において、大腿部の付根部１０５から鼠径溝に沿って上前腸骨棘付近まで延びている一辺（以下、「鼠径溝ライン」という。）１１と、大腿部の付根部１０５から大腿部の周方向に沿って大腿部の略正面位置まで延びている一辺（以下、「大腿部周方向ライン」という。）１２と、鼠径溝ラインおよび大腿部周方向ラインのそれぞれの終点を結ぶ一辺（以下、「縫工筋ライン」という。）１３とからなる略三角形の箇所である。
【００２４】
睡眠用ボトム１０によれば、スカルパ三角を局所的に保温し、この部位に位置する大腿動脈および大腿静脈を流れる血液からの放熱を抑制できるので、足先を暖かい状態に維持できる。また、保温する部位が局所的であるため、他の部位から体幹の余剰な熱を放熱することができ、体幹に対する保温効果が過度になることを防止できる。
【００２５】
また、睡眠用ボトム１０を着用した場合、保温布材２の鼠径溝ライン１１は鼠径溝に沿っているため、睡眠時に股関節を支点として大腿部を動かしたとしても、保温布材２が折り曲げられたり、保温する部位がずれたりすることが十分に防止されるため、安定的にスカルパ三角を保温できる。
【００２６】
保温布材２の寸法及び形成位置は、着用者のスカルパ三角を必要十分に保温するために、以下のようにすることが好ましい。すなわち、大腿部の付根部から各ラインの終点までの距離が、鼠径溝ライン１１については、７〜１６ｃｍ、大腿部周方向ライン１２については４〜１２ｃｍであることが好ましい。
【００２７】
保温布材２に使用する素材は、十分な保温性を有するものであれば特に限定されないが、保温布材２に好適に使用できる素材としては、ウール、アクリル起毛布地、吸湿発熱繊維などが挙げられる。これらの中でも、保温性と優れたフィット感を両立する観点から、伸縮性に優れた吸湿発熱繊維が好ましく、このような吸湿発熱繊維としては、エクス（商品名）やウェルサーモ（商品名）などが挙げられる。
【００２８】
保温布材２の保温率は、２８〜５０％が好ましく、３２〜４７％がより好ましい。保温布材２の保温率が２８％未満であると保温布材２の保温効果が不十分となる傾向があり、５０％を超えると過度な保温効果により保温部分に熱がこもり不快感を感じる傾向がある。また、本体布材１の保温率の値に対する保温布材２の保温率の値の比率は、１．３５以上であることが好ましく、この比率が１．３５未満であると、スカルパ三角を局所的に保温する効果が十分に得られなくなる傾向がある。
【００２９】
なお、保温率［％］は、保温性試験機を用いて以下のように求めることができる。すなわち、恒温熱源体を試料布地で覆い、恒温熱源体の温度が３０℃となるように調整し、低温度の外気（２０℃）に向かって熱源体から放熱される熱量が一定となり、熱源体の表面温度が一定値を示すようになってから１０分経過後における熱源体からの放熱量Ｗ［Ｊ／ｃｍ２・ｓ］を測定する。一方、熱源体を試料布地で覆わない状態で上記と同様にして熱源体からの放熱量Ｗ０［Ｊ／ｃｍ２・ｓ］を測定する。これらの値を下記式（１）に代入して試料布地の保温率を求める。保温性試験機としては、例えば、カトーテック株式会社製の「ＫＥＳ−Ｆ７サーモラボ２」を用いることができる。
保温率［％］＝（１−Ｗ／Ｗ０）×１００    （１）
【００３０】
睡眠用ボトム１０を主として構成する本体布材１に使用する素材は、保温布材２よりも低い保温性を有するものであれば特に限定されないが、本体布材１に好適に使用できる素材としては、綿、ナイロン、レーヨン、絹、ウールなどが挙げられる。これらの中でも、着用時の締め付け感を防止する観点及び睡眠時の着用感という観点から綿などの天然素材が好ましい。また、着用時のごわつき感を防止する観点から、本体布材１に使用する布地としては薄手のものが好適である。
【００３１】
本体布材１の保温率は、１６〜３５％が好ましく、２０〜２８％がより好ましい。本体布材１の保温率が１６％未満であると本体布材１で覆われた部位の保温効果が不十分となる傾向がある。一方、３５％を越えると本体布材１で覆われた部位が熱すぎると着用者が感じる場合がある。なお、本体布材１の保温率は、保温布材２と同様にして求めればよい。
【００３２】
睡眠用ボトム１０は、着用者の中腹部、下腹部、臀部および大腿部の上部を締め付けないサイズに設計されている。このため、柔らかなはき心地が得られ、これを着用して睡眠しても不快となるような締め付け感を十分に防止できる。なお、腹部、臀部および大腿部を締め付けないとの観点から、睡眠用ボトム１０を構成する本体布材１および保温布材２としては十分な伸縮性を有する布材を使用することが好ましい。
【００３３】
次に、睡眠用ボトム１０の製造方法について、図３を参照しながら説明する。図３は睡眠用ボトム１０の製造プロセスを説明する図である。同図（a）のように、所定の寸法に裁断された本体布材１および保温布材２を準備し、本体布材１と保温布材２とを縫合し、同図（ｂ）のように折り返して本体布材１および保温布材２の縁部からなる縫合部５を突き合わせ、両者を縫い合わせる。同図（ｃ）は、縫合部５を縫合後の睡眠用ボトム１０を前側から観察した図である。
【００３４】
なお、本体布材１に対して保温布材２を固定する手段としては、縫合の他にも編み、縫着、貼着および接着などが挙げられるが、固定が縫合によるものであると睡眠用ボトム１０の全体を薄手に仕上げることができ、着用時のごわつき感を防止できる。
【００３５】
上記実施形態においては、ショートタイプの睡眠用ボトムについて説明したが、本発明の股付き衣類はショートタイプに限定されるものではなく、セミロングタイプのものであってもよい。
【００３６】
図４を参照しながら、他の実施形態であるセミロングタイプの女性用の睡眠用ボトムの構成と機能を詳細に説明する。図４の（ａ）は、セミロングタイプの睡眠用ボトムを前面から見た図であり、（ｂ）は、セミロングタイプの睡眠用ボトムを背面から見た図である。
【００３７】
図４に示された睡眠用ボトム２０の構成は、保温布材の寸法および丈の長さが異なる点以外は、睡眠用ボトム１０と同様であり、睡眠用ボトム１０と同様にして縫製できる。睡眠用ボトム２０の裾は、着用者の大腿部の付根部１０５から膝関節部１０６までの間の大腿部において、大腿部の周方向に沿って形成されている。
【００３８】
睡眠用ボトム２０が備える保温布材２２は、保温布材２と保温布材２ａとからなる。保温布材２は、睡眠用ボトム１０における保温布材２と同様のものを使用できる。一方、保温布材２ａは、保温布材２の大腿部周方向ライン１２から大腿部の長さ方向に形成されており、保温布材２と同一素材からなり、保温布材２と一体となっている。具体的には、保温布材２ａは睡眠用ボトム２０に対して、図４に示すように大腿部周方向ライン１２と、大腿部の付根部から大腿部の長さ方向に沿って裾の位置まで延びている一辺（以下、「大腿部長さ方向ライン」という。）１４と、縫工筋ラインを延長したライン１３ａと、裾の周方向のライン１５とで囲まれる箇所に形成されている。
【００３９】
睡眠用ボトム２０によれば、スカルパ三角及び長内転筋を局所的に保温し、この部位に位置する大腿動脈および大腿静脈を流れる血液からの放熱を十分に抑制できるので、足先を暖かい状態に維持できる。また、保温する部位が局所的であるため、他の部位から体内の余剰な熱を放熱することができ、体幹に対する保温効果が過度になることを防止できる。
【００４０】
睡眠用ボトム２０はセミロングタイプであり、睡眠用ボトム１０と比較し丈の長さが長くなっており、より足先が冷たくなりやすい人やより低い温度で使用する人に好適である。睡眠用ボトム２０においては、睡眠用ボトム１０よりも保温布材の面積を大きくすることができ、その保温部位がスカルパ三角に加えて長内転筋にも及んでおり、大腿動脈および大腿静脈を流れる血液からの放熱をより十分に抑制できるためである。
【００４１】
また、睡眠用ボトム２０を着用した場合、保温布材２２の鼠径溝ラインは鼠径溝に沿っているため、睡眠時に股関節を支点として大腿部を動かしたとしても、保温布材２２が折り曲げられたり、保温する部位がずれたりすることが十分に防止されるため、安定的にスカルパ三角を保温できる。
【００４２】
なお、保温布材２ａの形状は必ずしも略四角形でなくてもよく、図５に示すように、睡眠用ボトムの丈の長さに応じて形状を選択すればよい。例えば、丈の長さが図５に示す（ｃ）よりも長い場合は、保温布材２ａの形状は略三角形である。この場合の保温布材２ａおよび保温布材２により保温される範囲を最大保温範囲とする。この範囲よりも広い範囲にわたって大腿部を保温すると体幹の余剰の熱が効率的に放出されなくなり、着用者によっては熱く感じることもある。この場合の保温布材２ａの大きさは、製造する睡眠用ボトムのサイズにもよるが、大腿部長さ方向ライン１４の長さは１６〜２４ｃｍとする。
【００４３】
なお、図５において、丈の長さが（ａ）であるものが、ショートタイプの睡眠用ボトム１０であり、丈の長さが（ｂ）であるものが、セミロングタイプの睡眠用ボトム２０である。
【００４４】
これまで、女性用の睡眠用ボトムについて説明したが、本発明の股付き衣類は女性用に限定されるものではなく、男性用に縫製して製造してもよい。
【００４５】
また、本発明の股付き衣類は睡眠時に着用するためのものに限定されるものではなく、睡眠時以外、例えば、日中に着用するためのものであってもよい。本発明の股付き衣類によれば、体幹に対する保温効果が過度とならず、その一方で足元を暖かい状態に維持できるため、例えば、夏の時期にオフィスなどにおいて冷房により足先が冷える人にとっても好適である。
【実施例】
【００４６】
以下の実施例および比較例の睡眠用ボトムを製造し、それぞれに対して入眠のしやすさの評価を実施した。
【００４７】
＜実施例１＞
図２と同様のショートタイプの睡眠用ボトムを以下のようにして製造した。すなわち、本体布材として、トルファン綿（商品名）（保温率：２０％）を使用し、保温布材としてアクリル起毛布地（保温率：３３％）を使用した。本体布材および保温布材を所定の寸法に裁断し、それぞれの布材を縫合して睡眠用ボトムを縫製した。なお、保温布材の形状は略三角形とし、その寸法は、鼠径溝ラインの長さを１４ｃｍ、大腿部周方向ラインの長さを９ｃｍ、縫工筋ラインの長さを９ｃｍとした。
【００４８】
＜比較例１＞
全体をトルファン綿（商品名）（保温率：２０％）を用いて製造したことの他は、実施例１と同様にしてショートタイプの睡眠用ボトムを製造した。
【００４９】
＜実施例２＞
丈の長さおよび保温布材の寸法を変更し、スタンダードタイプの睡眠用ボトムを製造した。保温布材の形状は略四角形とし、その寸法は、鼠径溝ラインの長さを１４ｃｍ、大腿部長さ方向ラインの長さを１０ｃｍ、縫工筋ラインの長さを３１ｃｍとした。なお、丈の長さは１０ｃｍとした。本体布材および保温布材として使用した布地は実施例１と同様とした。
【００５０】
＜比較例２＞
全体をアウトラスト（商品名）（保温率：２８％、素材：アクリル９０％，ナイロン５％，ポリウレタン５％）を用いて製造したことの他は、実施例２と同様にしてスタンダードタイプの睡眠用ボトムを製造した。
【００５１】
実施例１の睡眠用ボトムを２名の被験者に着用させて、入眠のしやすさについて評価した。図６は、被験者の入床からの心拍のばらつき度合の経時変化を示す。心拍のばらつき度合は以下のようにして数値化した。すなわち、心拍のばらつき度合は、入眠移行期における睡眠深度とローレンツプロットの関係であり、睡眠深度が深くなるにつれて、ローレンツプロットのｙ＝ｘ軸上における原点からの距離（以下、「重心」という）が大きくなり、次第に変化が安定し横ばいになるという知見に基づき、簡易心拍計測装置アクティブトレーサーＡＣ３０１（商品名、（株）ジー・エム・エス製）を用いて寝時のＰＲＩを測定した。そして、この測定値を用いて入床から６０分間の重心のばらつき度合を１分毎に算出し、０〜２０分後、２１〜４０分後、４１〜６０分後の平均値を求めて数値化した。
【００５２】
図６には、比較例１の睡眠用ボトムを２名の被験者に着用させて、同様に入眠のしやすさを評価した結果を併せて示した。心拍のばらつき度合が小さいほど（数値が小さいほど）入眠しやすいことを示しており、実施例１の睡眠用ボトムを着用した場合、比較例１の睡眠用ボトムを着用した場合よりも心拍のばらつき度合が小さく、スムーズに入眠しやすいことが確認された。
【００５３】
実施例２および比較例２に対しても、上記と同様に入眠のしやすさの評価をした結果、実施例２の睡眠用ボトムを着用した場合、比較例２の睡眠用ボトムを着用した場合よりも心拍のばらつき度合が小さく、スムーズに入眠しやすいことが確認された。
【００５４】
＜実施例３＞
保温布材として、ウェルサーモ（商品名）（保温率：４７％）を使用し、本体布材としても、ウェルサーモ（商品名）（保温率：３４％）を使用したことの他は、実施例２と同様にしてスタンダードタイプの睡眠用ボトムを製造した。
【００５５】
＜比較例３＞
保温布材として、ウェルサーモ（商品名）（保温率：４７％）を使用し、大腿部のスカルパ三角のみでなく、大腿部の上部の周方向全体を覆うように保温布材を縫合によりセミロングタイプの睡眠用ボトムを製造した。丈の長さは８ｃｍとした。なお、本体布材としても、ウェルサーモ（商品名）（保温率：４７％）を使用した。
【００５６】
＜暖かさに関する感覚評価＞
暖かさに関する感覚評価は以下のようにして実施した。すなわち、５人の被験者に実施例３の睡眠用ボトムを着用させ、温度１３℃、湿度５０％の条件下でふとんに入ってもらった。さらに、実施例３の睡眠用ボトムに代えて比較例３の睡眠用ボトムを着用させ、同様にふとんに入ってもらった。
【００５７】
ふとんに入ってから７分経過後の「足先の暖かさ感」、「下半身の暖かさ感」、「体幹の暖かさ感」について、実施例３および比較例３のうち、どちらの睡眠用ボトムを着用した時に暖かさを感じたか意見を聴取した。５人中どちらかの睡眠用ボトムにつき「より暖かさを感じた」と回答した人数を表１に示す。
【表１】
0004713979.tif 000002
【００５８】
暖かさに関する感覚評価において、すべての項目において実施例３の睡眠用ボトムの方が比較例３の睡眠用ボトムよりも暖かさを感じると回答した被験者はいなかった。しかし、各項目について、意見を聴取したところ、以下のような回答が寄せられた。
【００５９】
「足先の暖かさ感」については、「実施例３では、比較例３よりもふとんに入ってから足先が暖かく感じるまでに時間がかかる」という回答があった。また、実施例３の睡眠用ボトムを着用時には「じわじわ暖かい」という回答も目立った。
【００６０】
「下半身の暖かさ感」については、比較例３の睡眠用ボトムを着用時には「全体にとてもぽかぽか」という回答が目立った。これに対し、実施例３の睡眠用ボトムを着用時には「寒くはないが、暖かく感じるまでに時間がかかる」という回答が目立った。
【００６１】
「体幹の暖かさ感」については、比較例３の睡眠用ボトムを着用時には「芯からぽかぽか」という回答がある一方で、「暑すぎる」という回答もあった。これに対し、実施例３の睡眠用ボトムを着用時には「適度に暖かい感じ」という回答が目立った。
【００６２】
この結果、足先および下半身の暖かさ感について、実施例３の睡眠用ボトムを着用した場合、比較例３の睡眠用ボトムと比較すると暖かさを感じるまでに時間がかかるものの、被験者は足先および下半身に暖かさを十分に感じていたことが確認された。
【００６３】
一方、体幹の暖かさについて、実施例３の睡眠用ボトムを着用した場合、被験者は適度な暖かさを感じていた。これに対し、比較例３の睡眠用ボトムを着用した場合、一部の被験者は暑すぎると感じていた。
【００６４】
＜足先の暖かさの持続性の評価＞
実施例２の睡眠用ボトムを着用し、温度２３℃、湿度５０％の環境下で２０分間安静にした被験者の膝から下の皮膚表面温度をサーモグラフィーで観察した。さらに、実施例２の睡眠用ボトムの代わりに比較例３の睡眠用ボトムを着用させ、同条件にて安静にさせた後、同様に皮膚表面温度をサーモグラフィーで観察した。
【００６５】
その結果、実施例２の睡眠用ボトムを着用させた場合においても、比較例３の睡眠用ボトムを着用させた場合と同様、十分に足先が暖かい状態に維持されていることが確認された。
【図面の簡単な説明】
【００６６】
【図１】人体下肢部を前側から見たときの筋肉および骨格を表した正面図である。
【図２】（ａ）は、ショートタイプの睡眠用ボトムを前面から見た図であり、（ｂ）は、該睡眠用ボトムを背面から見た図である。
【図３】睡眠用ボトムの製造プロセスを説明する図である。
【図４】（ａ）は、セミロングタイプの睡眠用ボトムを前面から見た図であり、（ｂ）は、該睡眠用ボトムを背面から見た図である。
【図５】睡眠用ボトムが備える保温布材の形状及び寸法を説明する図である。
【図６】実施例の効果を、比較例との対比で説明する図である。
【符号の説明】
【００６７】
１…本体布材（本体部）、２，２２…保温布材（保温部）、５…縫合部、１０，２０…睡眠用ボトム、１００…スカルパ三角、１０１…鼠径靭帯、１０２…長内転筋、１０３…縫工筋、１０５…大腿部の付根部、１０６…膝関節部、１１１…上前腸骨棘、１１２…恥骨結合。
【図１】
0004713979.tif 000003
【図２】
0004713979.tif 000004
【図３】
0004713979.tif 000005
【図４】
0004713979.tif 000006
【図５】
0004713979.tif 000007
【図６】
0004713979.tif 000008